(57)【要約】【課題】共通の導光板を用いてＬＣＤセルとその近傍の所定領域とが互いに異なる色で照光可能であり、かつ光漏れに起因する不所望な照光を抑制しやすい照光装置を提供する。【解決手段】発光素子４の光（例えば緑色光）が導入されてＬＣＤセル７のバックライトとなる第１照光部６ａと、発光素子５の光（例えば赤色光）が導入されてケース８の所定領域８ｂが照光可能な第２照光部６ｂと、両照光部６ａ，６ｂを連結する連結部６ｃとを一体成形してなる導光板６を備えた照光装置であって、連結部６ｃに、その幅方向一端側から他端側へ向かって切れ込んだスリット６１ｃと、逆に幅方向他端側から一端側へ向かって切れ込んだ凹状切欠き６２ｃとを設け、両者６１ｃ，６２ｃの切れ込み深さの和（ｄ１＋ｄ２）が連結部６ｃの幅寸法ｗを下回らないようにした。スリット６１ｃ内には遮光板９を配置させておくことが好ましい。【選択図】図４
2008292849.tif 000002
【特許請求の範囲】
【請求項１】
回路基板に実装されて発光色が互いに異なる第１の発光素子および第２の発光素子と、前記第１の発光素子の光が導入される第１照光部と前記第２の発光素子の光が導入される第２照光部とを一体成形してなる導光板とを備え、前記回路基板に実装されたＬＣＤセルのバックライトが前記第１照光部によつて供給されると共に、前記ＬＣＤセルの近傍の所定領域が前記第２照光部によって照光可能な照光装置であって、
前記導光板のうち前記第１照光部と前記第２照光部とを連結している連結部に、この連結部の幅方向一端側から他端側へ向かって切れ込んだ第１切欠き部と、前記連結部の前記他端側から前記一端側へ向かって切れ込んだ第２切欠き部とを設け、これら第１および第２切欠き部の切れ込み深さの和を前記連結部の幅寸法を下回らない値に設定したことを特徴とする照光装置。
【請求項２】
請求項１の記載において、前記第１および第２切欠き部のいずれか一方が前記連結部を局部的に幅狭となすスリットであることを特徴とする照光装置。
【請求項３】
請求項２の記載において、前記スリット内に遮光板を配置させたことを特徴とする照光装置。
【請求項４】
請求項３の記載において、前記第２照光部の背面と対向する位置に前記遮光板を延設したことを特徴とする照光装置。
【請求項５】
請求項３または４の記載において、前記遮光板が前記連結部の前記幅狭部と前記回路基板とによって挟持されていることを特徴とする照光装置。
【発明の詳細な説明】
【技術分野】
【０００１】
本発明は、ＬＣＤセルとその近領の所定領域とが共通の導光板を用いて互いに異なる色で照光可能な照光装置に関する。
【背景技術】
【０００２】
ＬＣＤセルを用いて文字情報等の表示を行う電子機器では、ＬＣＤセルの背面（表示面とは反対側の面）に配設されてバックライトを供給する導光板に、発光素子の光が導入されるようになっており、この発光素子の発光色がバックライトの照光色となる。また、この種の電子機器においては、ＬＣＤセルの近傍にエラー表示等の機能表示が可能な小面積の第２照光領域を付設することがあり、一般的に該第２照光領域の照光色はＬＣＤセルのバックライトの照光色と別の色に設定されている。
【０００３】
このようにＬＣＤセルとその近傍の第２照光領域とを互いに異なる色で照光させようとする場合、ＬＣＤセル用の導光板および発光素子と、第２照光領域用の導光板および発光素子とを備えた照光装置を使用すればそれぞれを所望の色で照光させることができるが、部品点数が多くて組立性が悪く、高コストな照光装置になってしまう。そこで、ＬＣＤセル用の導光板と第２照光領域用の導光板とを一体成形しておくことが考えられるが、単に導光板を共通化しただけでは、ＬＣＤセル用の発光素子の例えば緑色の光が第２照光領域側へ漏れたり、逆に第２照光領域用の発光素子の例えば赤色の光がＬＣＤセル側へ漏れてしまうため、照光品位が著しく劣化ることとなる。つまり、共通の導光板を用いてＬＣＤセルとその近傍の第２照光領域とを互いに異なる色で照光させようとする場合には、導光板に導入された発光素子の光が不所望方向へ向かわないように該導光板に何らかの対策を講じておく必要がある。
【０００４】
従来、共通の導光板を用いて異なる領域をそれぞれ所要の色で照光可能にするための対策として、導光板に遮光用のスリットを設けるという技術が提案されている（例えば、特許文献１参照）。かかる従来技術では、導光板のうち一方の発光素子の光が導入される部分を、照光しようとする特定領域が存する方向を除いてスリットでＵ字状に包囲することによって、不所望方向へ向かう発光素子の光の多くをスリットで遮断できるようになっている。なお、前記特定領域をスリットで完全に包囲してしまうことはできないので、該特定領域には他方の発光素子の光も到達してしまうが、特許文献１に記載されているように、一方の発光素子の発光色が赤色で他方の発光素子の発光色が橙色であれば、赤色で照光されている特定領域に橙色の光が混入してもほとんど目立たない。
【特許文献１】特開２００１−１８３１８２号公報（第３−４頁、図１）
【発明の開示】
【発明が解決しようとする課題】
【０００５】
上記の従来提案は、共通の導光板にＵ宇状等のスリットを設けることによって異なる領域を異なる色で照光させるというものであるが、これら両領域の一方のみを照光させて他方は照光させないという使用状態が想定される場合には、こうしたスリットを設けても良好な照光品位を期待することはできない。すなわち、前述したように導光板のスリットは閉じた形状に形成できないので、スリットが途切れている部分経由して発光素子の光が不所望方向へある程度漏れてしまうことは避けられず、それゆえ両領域のいすれか一方のみを照光（一方の発光素子のみを点灯）させると、非照光状態であるはずの他方の領域が該発光素子の光で薄明るく照光されてしまう可能性が高くなる。
【０００６】
本発明は、このような従来技術の実情に鑑みてなされたもので、その目的は、共通の導光板を用いてＬＣＤセルとその近傍の所定領域とが互いに異なる色で照光可能であり、かつ光漏れに起因する不所望な照光を抑制しやすい照光装置を提供することにある。
【課題を解決するための手段】
【０００７】
上記の目的を達成するために、本発明では、回路基板に実装されて発光色が互いに異なる第１の発光素子および第２の発光素子と、前記第１の発光素子の光が導入される第１照光部と前記第２の発光素子の光が導入される第２照光部とを一体成形してなる導光板とを備え、前記回路基板に実装されたＬＣＤセルのバックライトが前記第１照光部によつて供給されると共に、前記ＬＣＤセルの近傍の所定領域が前記第２照光部によって照光可能な照光装置であって、前記導光板のうち前記第１照光部と前記第２照光部とを連結している連結部に、この連結部の幅方向一端側から他端側へ向かって切れ込んだ第１切欠き部と、前記連結部の前記他端側から前記一端側へ向かって切れ込んだ第２切欠き部とを設け、これら第１および第２切欠き部の切れ込み深さの和を前記連結部の幅寸法を下回らない値に設定した。
【０００８】
このように導光板の第１照光部と第２照光部とを連結している連結部に、互いに逆向きに切れ込んだ一対の切欠き部を設けて、これら両切欠き部の切れ込み深さの和を連結部の幅寸法と同等もしくはそれ以上に設定しておけば、一方の照光部から連結部を通過して他方の照光部へと向かう光のほとんどが、第１切欠き部または第２切欠き部によって遮断されることになる。したがって、ＬＣＤセル近傍の所定領域が第２照光部によっで照光されていないときに、該所定領域が第１照光部用の光（例えば緑色光）で照光されてしまう虞はほとんどなく、同様にＬＣＤセルのバックライトに第２照光部用の光（例えば赤色光）が混入する虞もほとんどなくなって、不所望名照光を引き起こす光漏れを効果的に抑制することができる。
【０００９】
上記の構成において、第１および第２切欠き部のいずれか一方が連結部を局部的に幅狭となすスリットであると、このスリット内に遮光板を配置させて遮光効果を高めることが容易となる。この場合において、第２照光部の背面と対向する位置に遮光板を延設しておけば、該背面を介して不所望光が第２照光部へ入射する虞がなくなるため、第２照光部の照光品位が一層高まる。また、連結部ののスリット内に遮光板を配置させる構成において、この遮光板が連結部の幅狭部と回路基板とによって挟持されていれば、遮光板を接着固定したり専用の部材で保持する必要がなくなるため好ましい。
【発明の効果】
【００１０】
本発明の照光装置によれば、ＬＣＤセルのバックライトとなる第１照光部とＬＣＤセル近傍の所定領域が照光可能な第２照光部とを一体成形してなる導光板を用い、この導光板の第１照光部と第２照光部とを連結している連結部に、互いに逆向きに切れ込んで切れ込み深さの和が連結部の幅寸法を下回らない第１切欠き部および第２切欠き部を設けているため、一方の照光部から連結部を通過して他方の照光部へ向かう光のほとんどが第１切欠き部または第２切欠き部によって遮断されることになる。したがって、ＬＣＤセル近傍の所定領域が第２照光部によって照光されていないときに、該所定領域が第１照光部からの漏光で照光されてしまう虞はほとんどなく、同様にＬＣＤセルのバックライトに第２照光部からの漏光が混入する虞もほとんどなくなって、不所望な照光を引き起こす光漏れを効果的に抑制することができる。また、異なる領域を異なる色で照光するための導光板が一体成形品であることから、部品点数を削減できて組立性が向上し、低コストな照光装置が得られる。
【発明を実施するための最良の形態】
【００１１】
発明の実施の形態を図面を参照して説明すると、図１は本発明の実施形態例に係るＬＣＤ付き電子機器の正面図、図２は該電子機器の内部構造を示す概略斜視図、図３は該電子機器のＬＣＤ取付構造を示す要部断面図、図４は該電子機器に備えられる導光板の一部を背面側から見た要部斜視図、図５は該導光板の一部を天地逆方向かつ正面側から見た要部斜視図、図６は該電子機器に備えられる遮光板の斜視図、図７は該電子機器の組立工程でＬＣＤセルおよび導光板を回路基板に取り付ける際の説明図である。
【００１２】
これらの図に示す電子機器は、部品搭載面となる一方の主面１ａに各種電子部品２，３や発光素子（ＬＥＤ）４，５等が配設された回路基板１と、第１照光部６ａおよび第２照光部６ｂを有する導光板６に保持されて回路基板１の一側部に取り付けられたＬＣＤセル７と、外殻部材であるケース８とによって主に構成されている。この電子機器は、発光素子４の光（発光色は緑色）が導入される導光板６の第１照光部６ａが、ＬＣＤセル７の背面側にバックライトとして配置されており、緑色光で照光されて文字情報等が表示可能なＬＣＤセル７の照光領域を表示面７ａ側から目視できるようになっている。そして、ＬＣＤセル７の表示面７ａを露出させるための表示窓８ａがケース８に設けられている。また、発光素子５の光（発光色は赤色）が導入される導光板６の第２照光部６ｂが、表示窓８ａに隣接するケース８の照光領域８ｂと対向して配置されており、この照光領域８ｂを第２照光部６ｂが赤色光で照光させることによってエラー表示等の機能表示が行えるようになっている。つまり、この電子機器には、発光素子４，５と導光板６とを備えた照光装置が内蔵されている。
【００１３】
ＬＣＤセル７は外形が矩形状であって、その長手方向に沿う一辺端部７ｂに端子７ｃ群を有している。このＬＣＤセル７は表示面７ａを主面１ａに対して略直角に起立させた姿勢で回路基板１の一側部に実装されており、図３に示すように、一辺端部７ｂの背面（表示面７ａ側とは反対側の面）は回路基板１の側面１ｃと対向している。また、端子７ｃ群は表示面７ａに対して略直角に背面側へ突出するように折曲加工されており、回路基板１の他方の主面１ｂに沿って延出する端子７ｃ群の先端部が、該主面１ｂに設けられている図示せぬ配線パターンに半田接合されている。
【００１４】
導光板６はアクリル等の光透過性樹脂からなる成形品であって、ＬＣＤセル７を収納保持するための凹所６０（図４参照）を有している。この導光板６には、表示面７ａと略同形でＬＣＤセル７の背面に正対して配置される平板状の第１照光部６ａと、表示面７ａの側方に配置される短冊状の第２照光部６ｂと、両照光部６ａ，６ｂを連結する平面視Ｌ字状の連結部６ｃと、凹所６０内のＬＣＤセル７を長手方向の両端側から挟圧する一対の保持部６ｄ，６ｅと、連結部６ｃに付設されて回路基板１の透孔部１ｄ（図７参照）と係合可能な小なるフック形状の第１係合部６ｆと、回路基板１の側面１ｃ近傍の切れ込み部１ｅ（図７参照）と係合可能な大なるフック形状の第２係合部６ｇとが設けられている。第１係合部６ｆと第２係合部６ｇは導光板６の長手方向の両端部に位置している。また、図４と図５に示すように、この導光板６の連結部６ｃには、幅方向一端側から他端側へ向かって寸法ｄ１だけ切れ込んだスリット６１ｃと、逆に連結部６ｃの他端側から一端側へ向かって寸法ｄ２だけ切れ込んだ凹状切欠き６２ｃとが設けられている。連結部６ｃはスリット６１ｃによって局部的に幅狭となっており、この幅狭部６３ｃの近傍に位置する凹状切欠き６２ｃの切れ込み深さｄ２が、幅狭部６３ｃにおける連結部６ｃの幅寸法を下回らないように配慮されている。つまり、連結部６ｃを幅方向に逆向きに切り欠いて設けられるスリット６１ｃおよび凹状切欠き６２ｃの切れ込み深さの和（ｄ１＋ｄ２）が、連結部６ｃの幅寸法ｗと同等かそれ以上の大きさとなるように設定されている。
【００１５】
導光板６の連結部６ｃにはスリット６１ｃ内に遮光板９が配置されている。この遮光板９は図６に示すような外形のゴムやプラスチックからなり、凹状に切り欠かれている逃げ部９ａに連結部６ｃの幅狭部６３ｃが挿入される。そして、遮光板９のうちスリット６１ｃ内に配置される部分の高さ寸法が該スリット６１ｃの切れ込み深さと同等に設定されているため、逃げ部９ａに挿入した幅狭部６３ｃと回路基板１とによって遮光板９が挟持できるようになっている。また、図２や図７に示すように、遮光板９の一部は第２照光部６ｂの背面と対向する位置に配置されている。
【００１６】
このように導光板６の連結部６ｃに、切れ込み深さの和が連結部６ｃの幅寸法を下回らないスリット６１ｃおよび凹状切欠き６２ｃが形成されており、かつスリット６１ｃ内に遮光板９が配置されているため、発光素子４の緑色光が第１照光部６ａから連結部６ｃへ漏れて第２照光部６ｂへ向かっても、その光はスリット６１ｃや凹状切欠き６２ｃによってほとんどが遮断されることになる。同様に、発光素子５の赤色光が第２照光部６ｂから連結部６ｃへ漏れて第１照光部６ａへ向かっても、その光はスリット６１ｃや凹状切欠き６２ｃによってほとんどが遮断されることになる。また、遮光板９の一部が第２照光部６ｂの背面と対向する位置に配置されているため、該背面を介して不所望光が第２照光部６ｂへ入射されることもない。なお、第２照光部６ｂとその近傍の保持部６ｄとの間のすき間には、ケース８の図示せぬ遮光壁が挿入されるようになっている。
【００１７】
次に、ＬＣＤセル７および導光板６を回路基板１に取り付ける際の手順について説明する。まず、予めＬＣＤセル７と導光板６を一体化しておく。この一体化作業は、ＬＣＤセル７を導光板６の凹所６０内へ圧入するだけでよく、これによりＬＣＤセル７を第１照光部６ａに正対させつつ保持部６ｄ，６ｅで挟持することができる。そして、図７に示すようにスリット６１ｃ内に遮光板９を差し込んだ後、導光板６の第１係合部６ｆを回路基板１の透孔部１ｄに回転可能に圧入し、この第１係合部６ｆを回転軸として、ＬＣＤセル７が側面１ｃと近接する向きに導光板６を回転させることにより、側面１ｃ近傍に切り欠かれている切れ込み部１ｅ内へ導光板６の第２係合部６ｇを嵌入させていく。こうして第２係合部６ｇを切れ込み部１ｅ内の最奥まで嵌入させると、回路基板１に対するＬＣＤセル７の取付位置が規定されて、ＬＣＤセル７の一辺端部７ｂが回路基板１の側面１ｃと略平行に対向すると共に、端子７ｃ群が主面１ｂの対応する半田ランド（配線パターン）と重なり合うようになっている。このように、予めＬＣＤセル７と導光板６をモジュール化した後、このモジュール品が回路基板１の所定位置に容易に組み付けられるように設計されていると、組立作業性が良好となる。
【００１８】
上記の如く本実施形態例に係るＬＣＤ付き電子機器には、発光素子４，５と導光板６とを備えた照光装置が内蔵されており、この導光板６が異なる領域を異なる色で照光できるようになっている。すなわち、この導光板６は、ＬＣＤセル７を緑色光で照光するバックライトとなる第１照光部６ａと、ＬＣＤセル７近傍の照光領域８ｂを赤色光で照光可能な第２照光部６ｂとを連結した一体成形品なので、２個の導光板を併用する構成に比べて部品点数を削減できて組立性が向上し、低コストな照光装置が得られる。
【００１９】
また、この照光装置の導光板６には、第１照光部６ａと第２照光部６ｂとを連結している連結部６ｃにスリット６１ｃおよび凹状切欠き６２ｃが形成されており、かつスリット６１ｃ内に遮光板９が配置されているため、ＬＣＤセル７近傍の照光領域８ｂが第２照光部６ｂによって照光されていないときに、この照光領域８ｂが第１照光部６ａからの漏光（緑色光）で照光されてしまう虞はほとんどない。同様に、ＬＣＤセル７のバックライトに第２照光部６ｂからの漏光（赤色光）が混入する虞もほとんどない。しかも、遮光板９の一部を第２照光部６ｂの背面と対向させているため、該背面を介して不所望光が第２照光部６ｂへ入射する虞もない。したがって、不所望な照光を引き起こす光漏れを効果的に抑制することができる。なお、遮光板９は連結部６ｃの幅狭部６３ｃと回路基板１とによって挟持されているので、遮光板９を接着固定したり専用の部材で保持する必要はない。
【００２０】
また、本実施形態例に係るＬＣＤ付き電子機器は、起立姿勢のＬＣＤセル７の一辺端部７ｂを回路基板１の側面１ｃと対向させた状態で、このＬＣＤセル７が回路基板１に取り付けられているため、同じＬＣＤセル７を回路基板１上に起立姿勢で搭載した場合に比べて、電子機器全体の高さ寸法が低減されている。すなわち、起立姿勢のＬＣＤセル７の一辺端部７ｂを回路基板１の側面１ｃとオーバーラップさせることによって、少なくとも回路基板１の板厚分だけ、ＬＣＤセル７の回路基板１からの突出高さを減らすことができるので、ＬＣＤセル７の表示面７ａの大きさを変えることなく電子機器全体の高さ寸法を低減して薄型化を実現することができる。同様の理由から、電子機器全体の高さ寸法を増大させることなくＬＣＤセル７の表示面７ａを大型化することもできる。
【００２１】
なお、このＬＣＤセル７は、その一辺端部７ｂから背面側へ端子７ｃ群を略直角に延出させているため、これら端子７ｃ群を回路基板１の対応する配線パターンに半田接合することは容易である。また、このＬＣＤセル７は導光板６に保持された状態で回路基板１に取り付けられているため、ＬＣＤセル７に作用する振動や衝撃を導光板６で緩和することができ、かつ端子７ｃ群の半田接合部に作用する負荷を導光板６で軽減することができる。
【図面の簡単な説明】
【００２２】
【図１】本発明の実施形態例に係るＬＣＤ付き電子機器の正面図である。
【図２】該電子機器の内部構造を示す概略斜視図である。
【図３】該電子機器のＬＣＤ取付構造を示す要部断面図である。
【図４】該電子機器に備えられる導光板の一部を背面側から見た要部斜視図である。
【図５】該導光板の一部を天地逆方向かつ正面側から見た要部斜視図である。
【図６】該電子機器に備えられる遮光板の斜視図である。
【図７】該電子機器の組立工程でＬＣＤセルおよび導光板を回路基板に取り付ける際の説明図である。
【符号の説明】
【００２３】
１  回路基板
２，３  電子部品
４，５  発光素子
６  導光板
６ａ  第１照光部
６ｂ  第２照光部
６ｃ  連結部
６ｄ，６ｅ  保持部
７  ＬＣＤセル
７ａ  表示面
７ｃ  端子
８  ケース
８ａ  表示窓
８ｂ  照光領域（所定領域）
９  遮光板
６１ｃ  スリット（切欠き部）
６２ｃ  凹状切欠き（切欠き部）
６３ｃ  幅狭部
【図１】
2008292849.tif 000003
【図２】
2008292849.tif 000004
【図３】
2008292849.tif 000005
【図４】
2008292849.tif 000006
【図５】
2008292849.tif 000007
【図６】
2008292849.tif 000008
【図７】
2008292849.tif 000009